(57)【要約】【課題】異なる前記選択スイッチを押したときに、表示手段に異なる操作画面を表示する温水利用装置リモコンを提供する。【解決手段】表示手段９と、表示手段上で使用するタッチパネルと、選択スイッチ１０を有し、選択スイッチ１０を押したときに、表示手段９に浴槽へのお湯はり機能の操作画面１１と出湯機能の操作画面１２を表示する。【選択図】  図１
2004353917.tif 000002
【特許請求の範囲】
【請求項１】
表示手段と、前記表示手段上で使用するタッチパネルと、複数の選択スイッチを有し、異なる前記選択スイッチを押したときに、前記表示手段に異なる操作画面を表示する温水利用装置リモコン。
【請求項２】
特定の選択スイッチを押したときに、表示手段に浴槽へのお湯はり機能の操作画面を表示する請求項１に記載の温水利用装置リモコン。
【請求項３】
特定の選択スイッチを押したときに、表示手段に蛇口またはシャワーからの出湯機能の操作画面を表示する請求項１から２のいずれか一項に記載の温水利用装置リモコン。
【請求項４】
特定の選択スイッチを押したときに、表示手段に暖房機器の操作画面を表示する請求項１から３のいずれか一項に記載の温水利用装置リモコン。
【請求項５】
特定の選択スイッチを押したときに、表示手段に乾燥機器の操作画面を表示する請求項１から４のいずれか一項に記載の温水利用装置リモコン。
【請求項６】
特定の選択スイッチを押したときに、表示手段に発電機能の操作画面を表示する請求項１から５のいずれか一項に記載の温水利用装置リモコン。
【請求項７】
特定の選択スイッチを押したときに、表示手段にメニュー画面を表示する請求項１から６のいずれか一項に記載の温水利用装置リモコン。
【請求項８】
特定の選択スイッチを押したときに、表示手段に特定の日の予定を表示する請求項１から７のいずれか一項に記載の温水利用装置リモコン。
【請求項９】
請求項１から８のいずれかに記載の温水利用装置リモコンが有する機能の一部または全部をコンピュータにより実行するためのプログラム。
【発明の詳細な説明】
【０００１】
【発明の属する技術分野】
本発明は温水利用装置の状態モニタや、コントロールや、各種設定などを行うときに使用する温水利用装置リモコンに関するものである。
【０００２】
【従来の技術】
従来、温水利用装置のリモコンはスイッチを押したり回したりすることにより操作を行ってきた。また、ＬＥＤや液晶パネルなどを用いて状態表示や各種設定の表示を行っていた。ここで温水利用装置とはガス給湯器や石油給湯器や電気温水器などの給湯器や、給湯器で作った温水を利用して暖房や乾燥の機能を有する機器、例えば床暖房や浴室暖房機や浴室乾燥機や浴室暖房乾燥機や温水エアコンや衣類乾燥機などや、燃料電池を使用した発電給湯器などを指す。
【０００３】
従来、温水利用装置リモコンは例えば風呂の運転と動作状態モニタなどは画面に情報を表示し、またスイッチを設け、または赤外線通信等で通信できるリモコン子機を設けて、そのスイッチやリモコン子機を操作することにより運転／停止の制御を行う（特許文献１参照）。ここでは操作するためのスイッチを有する温水利用装置リモコンに焦点を当てて従来例を以下に説明する。
【０００４】
従来例の温水利用装置リモコンの構成を図４に示す。図４において２は温水利用装置、４は浴槽、５は浴槽用の給水パイプ、６は出湯口（蛇口）、７は出湯用の給水パイプ、８は出湯用のレバー、５１は従来の温水利用装置リモコン、５２は浴槽４への給湯スイッチ、５３は出湯口６の水温アップするためのスイッチ、５４は水温ダウンするためのスイッチ、５５は表示手段、５６は温水利用装置リモコン５５と温水利用装置２の間の制御信号をやりとりする通信線である。
【０００５】
次に図４の構成図を用いて従来例の動作を説明する。本従来例では温水利用装置リモコン５１の給湯スイッチ５２を押すことにより通信線５６を介して温水利用装置２へ制御信号が伝達され、温水利用装置２からパイプ５を介して浴槽４へお湯はりがされる。また、出湯用レバー８を操作することによりパイプ７を介して温水利用装置２から出湯口６から出湯する。このときの温水の温度はスイッチ５３、５４を操作することによりアップ、ダウンできる。表示手段５５には設定温度等が表示される。
【０００６】
【特許文献１】
特開昭６２−１０７９３号公報
【０００７】
【発明が解決しようとする課題】
しかしながら、図４に示す従来例では、温水利用装置リモコン５１から多くの操作をさせるにはスイッチを多く備えることが必要であり、また多くのスイッチを備えると操作しにくくなるという課題を有していた。
【０００８】
【課題を解決するための手段】
本発明は、表示手段と、表示手段上で使用するタッチパネルと、複数の選択スイッチを有し、異なる前記選択スイッチを押したときに、前記表示手段に異なる操作画面を表示する温水利用装置リモコンとしている。
【０００９】
【発明の実施の形態】
請求項１に記載した発明は、表示手段と、表示手段上で使用するタッチパネルと、複数の選択スイッチを有し、異なる選択スイッチを押したときに、表示手段に異なる操作画面を表示する温水利用装置リモコンを実現することができる。これにより、スイッチを多く備えることなく、操作の容易な温水利用装置リモコンを実現することができる。
【００１０】
請求項２に記載した発明は、特定の選択スイッチを押したときに、表示手段に浴槽へのお湯はり機能の操作画面を表示する温水利用装置リモコンを実現することができる。これにより、スイッチを多く備えることなく、操作の容易な浴槽へのお湯はり機能の操作画面を有する温水利用装置リモコンを実現することができる。特に浴槽へのお湯はり機能は通常毎日使用する機能であり、表示の優先度の比較的高い機能であり、可能ならば常時表示、別の表示をしていても少ない操作でこの表示に戻れることが望まれるが本発明によりこれを実現できる。
【００１１】
請求項３に記載した発明は、特定の選択スイッチを押したときに、表示手段に蛇口またはシャワーからの出湯機能の操作画面を表示する温水利用装置リモコンを実現することができる。これにより、スイッチを多く備えることなく、操作の容易な蛇口またはシャワーからの出湯機能の操作画面を有する温水利用装置リモコンを実現することができる。出湯機能は通常使用するものであるが、実際使用の頻度が高いのは出湯温度の設定である。従って可能ならば常時表示、別の表示をしていても少ない操作でこの表示に戻れることが望まれるが本発明によりこれを実現できる。
【００１２】
請求項４に記載した発明は、特定の選択スイッチを押したときに、表示手段に暖房機器の操作画面を表示する温水利用装置リモコンを実現することができる。これにより、スイッチを多く備えることなく、操作の容易な暖房機器の操作画面を有する温水利用装置リモコンを実現することができる。暖房機器の操作画面はそれほど常時表示必要頻度の高い機能ではないが、操作するときは複数の暖房機器を一括で見やすく表示することが望まれる。また別の表示をしていても少ない操作でこの表示に戻れることが望まれるが、本発明によりこれを実現できる。
【００１３】
請求項５に記載した発明は、特定の選択スイッチを押したときに、表示手段に乾燥機器の操作画面を表示する温水利用装置リモコンを実現することができる。これにより、スイッチを多く備えることなく、操作の容易な乾燥機器の操作画面を有する温水利用装置リモコンを実現することができる。乾燥機器の操作画面はそれほど常時表示必要頻度の高い機能ではないが、操作するときは複数の乾燥機器や暖房機器を一括で見やすく表示することが望まれる。また別の表示をしていても少ない操作でこの表示に戻れることが望まれるが、本発明によりこれを実現できる。
【００１４】
請求項６に記載した発明は、特定の選択スイッチを押したときに、表示手段に発電機能の操作画面を表示する温水利用装置リモコンを実現することができる。これにより、スイッチを多く備えることなく、操作の容易な発電機能の操作画面を有する温水利用装置リモコンを実現することができる。発電機能の操作画面はそれほど常時表示必要頻度の高い機能ではないが、操作するときは複数の乾燥機器や暖房機器を一括で見やすく表示することが望まれる。また別の表示をしていても少ない操作でこの表示に戻れることが望まれるが、本発明によりこれを実現できる。
【００１５】
請求項７に記載した発明は、特定の選択スイッチを押したときに、表示手段にメニュー画面を表示する温水利用装置リモコンを実現することができる。これにより、スイッチを多く備えることなく、多くの選択肢を有するメニュー画面を有する温水利用装置リモコンを実現することができる。各種メニューは常時表示必要頻度の高い機能ではないが、別の表示をしていても少ない操作でこの表示に戻れることが望まれるが、本発明によりこれを実現できる。
【００１６】
請求項８に記載した発明は、特定の選択スイッチを押したときに、表示手段に特定の日の予定を表示する温水利用装置リモコンを実現することができる。これにより、スイッチを多く備えることなく、特定の日の予定を表示する画面を有する温水利用装置リモコンを実現することができる。予定を表示する画面は常時表示必要頻度の高い機能ではないが、別の表示をしていても少ない操作でこの表示に戻れることが望まれるが、本発明によりこれを実現できる。
【００１７】
請求項９に記載した発明は、温水利用装置システムリモコンが有する機能の少なくとも一部をコンピュータにより実行するためのプログラムとしている。  そして、プログラムであるので家庭にあるコンピュータ等などを用いて本発明の温水利用装置システムの一部あるいは全てを容易に実現することができる。また記録媒体に記録したり通信回線を用いてプログラムを配信したりすることでプログラムの配布が簡単にできる。
【００１８】
【実施例】
（実施例１）
以下本発明の第１の実施例について説明する。まず本第１の実施例の温水利用装置リモコンのシステムの構成を説明する。図１は本実施例の温水利用装置リモコンの全体構成を示すブロック図である。図１で１は温水利用装置リモコンで、２はガス、電気、石油等をエネルギー源として温水を作成し供給する温水利用装置（熱源機）。湯沸かし器ともいえる物で、本実施例ではガスによる熱源機であるとする。温水利用装置２で作成された温水は４の浴槽に対して５の浴槽用パイプを介してお湯はりを行う。６は台所、洗面所、シャワー等の出湯口（蛇口）でここでは台所の出湯口であるとする。８は出湯用レバーで、出湯用レバー８を操作することにより７の出湯用パイプを介して温水利用装置２から供給された温水は出湯口６から出湯する。９は表示手段でここでは液晶を使用している。１０は浴槽へのお湯はり機能と出湯機能の選択スイッチで、１１は浴槽へのお湯はり機能の操作画面、１２は出湯機能の操作画面で１３の「４０℃」の表示は浴槽４へお湯はりする温水の温度設定値を表示している。１４、１５、１７、１８は表示手段９の液晶上に構成したタッチパネルスイッチで構成しており、１４は浴槽４への「ふろ自動」お湯はりを開始／停止するためのふろ自動タッチスイッチで、このエリアをタッチすることにより「ふろ自動」お湯はりを開始／停止することができる。ここで「ふろ自動」お湯はりとは浴槽４へのお湯はりの温度と湯量を設定値に常時保つべくお湯はり、保温等を行う機能である。１５は各種設定タッチスイッチで、このエリアをタッチすることによりお湯はりの温度や湯量や保温時間やタイマ設定や報知音量や報知音の種類などの各種を設定を行うことができる。１７、１８はそれぞれ温度アップタッチスイッチ、温度ダウンタッチスイッチで、それぞれこのエリアをタッチすることにより出湯口６から出湯する温水の温度をアップ、ダウンすることができる。１６は出湯用温度表示でここに表示した「４０℃」は出湯口６から出湯する温水の設定温度を表示している。
【００１９】
次に図１の構成図を用いて本実施例の動作を説明する。本実施例では温水利用装置リモコン１は浴槽４へのお湯はり機能や、出湯口６からの出湯機能や、図１には記載していないが温水利用装置２で作成した温水を利用した暖房機器や乾燥機器を操作する機能を有している。このうち、選択スイッチ１０を押すことにより、浴槽４へのお湯はり機能と出湯口６からの出湯機能の操作画面を表示することができ、この表示画面上に設定したタッチパネルスイッチにより操作することができる。すなわち、選択スイッチ１０を押したとき、浴槽へのお湯はり機能の操作画面１１と、出湯機能の操作画面１２を表示し、ここで表示した浴槽用温度表示１３や出湯用温度表示１６で設定温度をモニタすることができる。また表示手段９上に設定したタッチパネルスイッチにタッチすることで操作することができる。すなわち、ふろ自動タッチスイッチ１４のエリアをタッチすることで、浴槽４への「ふろ自動」お湯はりを開始／停止することができる。ここで「ふろ自動」お湯はりとは浴槽４へのお湯はりの温度と湯量を設定値に常時保つべくお湯はり、保温等を行う機能である。各種設定タッチスイッチ１５のエリアをタッチすることにより、画面が切り替わり、切り替わった画面でお湯はりの温度や湯量や保温時間やタイマ設定や報知音量や報知音の種類などの各種を設定を行うことができる。また温度アップタッチスイッチ１７、温度ダウンタッチスイッチ１８のエリアをタッチすることにより、出湯口６から出湯する温水の温度をそれぞれアップ、ダウンすることができる。
【００２０】
なお、本実施例では選択スイッチ１０を押すことにより、浴槽へのお湯はり機能の操作画面１１と、出湯機能の操作画面１２を表示したが、それぞれに対して別の選択スイッチを割り付けて良いのは言うまでもない。
【００２１】
（実施例２）
次に第２の実施例について説明する。図２は第２の実施例の構成を示すブロック図である。図２で２１は温水利用装置リモコンで、２２はガス、電気、石油等をエネルギー源として温水を作成し供給する温水利用装置（熱源機）。湯沸かし器ともいえる物で、本実施例ではガスによる熱源機であるとする。温水利用装置２２で作成された温水は２４の暖房機器に対して２５の暖房機器用パイプを介して流され暖房機能を果たす。ここで暖房機器は床暖房や浴室暖房機やエアコンやルームヒータやパネルヒータやカーペットなどである。２６は乾燥機機で温水利用装置２２で作成された温水は乾燥機器２６に対して２７の乾燥機器用パイプを介して流され乾燥機能を果たす。ここで乾燥機器は浴室乾燥機や浴室暖房乾燥機や衣類乾燥機や食器洗い乾燥機などである。２８は表示手段でここでは液晶を使用している。２９は暖房機器の操作機能と乾燥機器の操作機能の選択スイッチで、３０は暖房機器の操作画面、３１は乾燥機器の操作画面で、３２、３３、３４、３５、３６、３７は表示手段９の液晶上に構成したタッチパネルスイッチで構成しており、３２は暖房機器タッチスイッチ、３３は暖房機器設定スイッチ、３４は乾燥機器タッチスイッチ、３５は画面送りタッチスイッチ、３６はすべて切タッチスイッチ、３７は各種設定タッチスイッチである。
【００２２】
次に図２の構成図を用いて本実施例の動作を説明する。本実施例では温水利用装置リモコン２１は温水利用装置２で作成した温水を利用した暖房機器や乾燥機器を操作する機能や、図２には記載していないが図１に記載したような浴槽４へのお湯はり機能や、出湯口６からの出湯機能を有している。このうち、選択スイッチ２９を押すことにより、暖房機器の操作画面３０と乾燥機器の操作画面３１を選択することができ、画面上の情報から動作状態などを知ることができるとともに、表示手段２８上に設定したタッチパネルスイッチにタッチすることで操作することができる。すなわち、暖房機器タッチスイッチ３２のエリアをタッチすることで、暖房機器２４のＯＮ／０ＦＦ操作ができる。また、本実施例では暖房機器タッチスイッチ３２のエリアの色の変化により、暖房機器２４の動作状態をモニタすることができる。また、暖房機器設定タッチスイッチ３３のエリアをタッチすることで、暖房機器２４の温度設定やタイマ機能などの設定を行う画面に切り替わり設定を行うことができる。また、乾燥機器タッチスイッチ３４のエリアをタッチすることで、乾燥機器２６のＯＮ／０ＦＦ操作ができる。また、本実施例では乾燥機器タッチスイッチ３４のエリアの色の変化により、乾燥機器２６の動作状態をモニタすることができる。また、画面送りタッチスイッチ３５のエリアをタッチすることで、画面が切り替わり、次のページに表示された暖房機器、乾燥機器の操作画面を表示する。また、すべて切タッチスイッチ３６のエリアをタッチすることで、ＯＮ状態にある暖房機器、乾燥機器をＯＦＦする。また、各種設定タッチスイッチ３７のエリアをタッチすることで、設定画面に切り替わり暖房機器の温度やタイマ設定や報知音量や報知音の種類などの各種を設定を行うことができる。
【００２３】
なお、本実施例では選択スイッチ２９を押すことにより、暖房機器の操作画面３０と、乾燥機器の操作画面３１を表示したが、それぞれに対して別の選択スイッチを割り付けて良いのは言うまでもない。また温水利用装置（熱源機）２２として燃料電池を使用し、暖房機能、乾燥機能、お湯はり機能、出湯機能に加えて、発電機能を有し、この操作画面を選択できるようにしても良いのは言うまでもない。
【００２４】
（実施例３）
次に第３の実施例について説明する。図３は第３の実施例の構成を示すブロック図である。第１、第２の実施例の図１、図２と同じ番号を付与したものは同等の機能を有するものとして説明を省略する。図３で４１は温水利用装置リモコンで、４２は表示手段でここでは液晶を使用している。４３はメニュー表示と予定表示を選択できる選択スイッチで、４４はメニュー画面、４５は予定表示画面で、メニュー画面４４内の各エリアは表示手段４２の液晶上に構成したタッチパネルスイッチで構成している。４６は温水利用装置リモコンのインターネットへの接続線で、４７はインターネット網である。
【００２５】
次に図３の構成図を用いて本実施例の動作を説明する。本実施例では温水利用装置リモコン４１はメニュー表示やメニューの選択、予定表示に加えて、実施例１で詳細記載した浴槽４へのお湯はり機能や、出湯口６からの出湯機能、実施例２で詳細記載した温水利用装置２で作成した温水を利用した暖房機器や乾燥機器を操作する機能を有している。このうち、選択スイッチ４３を押すことにより、メニュー画面４４と予定表示画面４５を選択することができる。メニュー表示画面４４にはインターネット網４７から入手した各種生活情報などのメニューを表示することができる。例えば天気予報やニュースや健康情報、料理レシピや回覧板や掲示板などの情報のメニューを表示し、それぞれ対応するエリアのタッチスイッチをタッチすることにより、詳細情報提供画面に切り替わり情報を入手することができる。また、予定表示画面４５には例えばその日の予定などを表示することができる。
【００２６】
なお、本実施例では選択スイッチ４３を押すことにより、メニュー表示画面４４と、予定表示画面４５を表示したが、それぞれに対して別の選択スイッチを割り付けて良いのは言うまでもない。また、本実施例のように温水利用装置２と温水利用装置２２を別に設けるのではなく一体の機能を有する温水利用装置としても良いのは言うまでもない。
【００２７】
【発明の効果】
以上のように、本発明は、表示手段と、表示手段上で使用するタッチパネルと、複数の選択スイッチを有し、異なる前記選択スイッチを押したときに、前記表示手段に異なる操作画面を表示する温水利用装置リモコンとしている。これにより、スイッチを多く備えることなく、操作の容易な温水利用装置リモコンを実現することができる。
【図面の簡単な説明】
【図１】本発明の第１の実施例である温水利用装置リモコンの構成を示すブロック図
【図２】本発明の第２の実施例である温水利用装置リモコンの構成を示すブロック図
【図３】本発明の第３の実施例である温水利用装置リモコンの構成を示すブロック図
【図４】従来例の温水利用装置リモコンの構成を示すブロック図
【符号の説明】
１、２１、４１  温水利用装置リモコン
９、２８、４２  表示手段
１０、２９、４３  選択スイッチ
１１  浴槽へのお湯はり機能の操作画面
１２  出湯機能の操作画面
１４  ふろ自動タッチスイッチ
１５  各種設定タッチスイッチ
１７  温度アップタッチスイッチ
１８  温度ダウンタッチスイッチ
３０  暖房機器の操作画面
３１  乾燥機器の操作画面
３２  暖房機器タッチスイッチ
３３  暖房機器設定タッチスイッチ
３４  乾燥機器タッチスイッチ
３５  画面送りタッチスイッチ
３６  すべて切タッチスイッチ
３７  各種設定タッチスイッチ
４４  メニュー画面
４５  予定表示画面
【図１】
2004353917.tif 000003
【図２】
2004353917.tif 000004
【図３】
2004353917.tif 000005
【図４】
2004353917.tif 000006